(57)【要約】【課題】マウスがノートブックに結合され、マウスを別に携帯することが必要ない。【解決手段】一つの収容空間と、一つのマウス操作部とを含むノートブック用マウス装置において、前記収容空間は、その上には、一つの受信板と、一つのジョイスティックとが設けてあり、前記マウス操作部は、その底部には前記ジョイスティックに対応する貫通孔が二つに設けてあり、前記マウス操作部の移動により前記ジョイスティックが移動され、且つ前記マウス操作部の底部には一つの発信器が設けてあり、前記収容空間における受信板が前記発信器から発射された信号を接収することよりマウス機能が発生しカーソルの位置を制御し、且つ前記マウス操作部の上面には押圧することにより入力するための左ボタンと右ボタンとが設けてある。【選択図】図１
0003109842.tif 000002
【実用新案登録請求の範囲】
【請求項１】
一つの収容空間と、一つのマウス操作部とを含むノートブック用マウス装置において、
前記収容空間は、その上には、一つの受信板と、一つのジョイスティックとが設けてあり、
前記マウス操作部は、その底部には前記ジョイスティックに対応する貫通孔が二つに設けてあり、前記マウス操作部の移動により前記ジョイスティックが移動され、且つ前記マウス操作部の底部には一つの発信器が設けてあり、前記収容空間における受信板が前記発信器から発射された信号を接収することよりマウス機能が発生しカーソルの位置を制御し、且つ前記マウス操作部の上面には押圧することにより入力するための左ボタンと右ボタンとが設けてあることを特徴とする、
ノートブック用マウス装置。
【請求項２】
前記ジョイスティックの頂端には突起が設けてあり、ジョイスティックがマウス操作部の貫通孔に嵌め込んだ後に、前記突起によりマウス操作部がジョイスティックから離脱しないことを特徴とする、請求項１に記載のノートブック用マウス装置。
【請求項３】
前記マウス操作部の底面にはマウス信号源が設けてあり、前記マウスは前記収容空間から分離して単独に使用しても可能であることを特徴とする、請求項１に記載のノートブック用マウス装置。
【請求項４】
前記マウス信号源は光学ヘッドであることを特徴とする、請求項３に記載のノートブック用マウス装置。
【請求項５】
前記マウス信号源は転がり玉であることを特徴とする、請求項３に記載のノートブック用マウス装置。
【考案の詳細な説明】
【技術分野】
【０００１】
本考案はノートブック用マウス装置に係り、特にノートブックに結合され、マウスを別に携帯することが必要ないノートブック用マウス装置に関するものである。
【背景技術】
【０００２】
目下、一般のノートブックのカーソルを制御する方式は二つにあり、その一つはノートブックにあるタッチパネルに指でタッチすることによりカーソルを移動させ、もう一つはマウスを別に接続することによりカーソルを移動させる。
【考案の開示】
【考案が解決しようとする課題】
【０００３】
しかしながら、これは次のような欠点があった。
（１）タッチパネルに指でタッチする方式によれば、カーソルを移動する過程中に指はタッチパネルを継続にタッチすることが必要であり、且つカーソルを移動する距離が極めて短いので、各操作を実施するときの掛かる時間がより長く、操作効率が良くなかった。
【０００４】
（２）マウスを別に接続する方式によれば、カーソルを快速に移動することができるが、マウスが外接装置であるので、ノートブックと一緒に携帯することが必要であり、且つマウスを操作するスペースも必要なので、ノートブックの操作スペースが狭い場合には、マウスを設置する空間がなくなり、ひいてはマウスが使用できなくなった。
【課題を解決するための手段】
【０００５】
上記欠点を解決するためになされた本願の考案は、一つの収容空間と、一つのマウス操作部とを含むノートブック用マウス装置において、前記収容空間は、その上には、一つの受信板と、一つのジョイスティックとが設けてあり、前記マウス操作部は、その底部には前記ジョイスティックに対応する貫通孔が二つに設けてあり、前記マウス操作部の移動により前記ジョイスティックが移動され、且つ前記マウス操作部の底部には一つの発信器が設けてあり、前記収容空間における受信板が前記発信器から発射された信号を接収することよりマウス機能が発生しカーソルの位置を制御し、且つ前記マウス操作部の上面には押圧することにより入力するための左ボタンと右ボタンとが設けてあることを特徴とするノートブック用マウス装置であることを要旨としている。
【０００６】
本願の考案では、前記ジョイスティックの頂端には突起が設けてあり、ジョイスティックがマウス操作部の貫通孔に嵌め込んだ後に、前記突起によりマウス操作部がジョイスティックから離脱しないことを特徴とする請求項１に記載のノートブック用マウス装置であることを要旨としている。
【０００７】
本願の考案では、前記マウス操作部の底面にはマウス信号源が設けてあり、前記マウスは前記収容空間から分離して単独に使用しても可能であることを特徴とする請求項１に記載のノートブック用マウス装置であることを要旨としている。
【０００８】
本願の考案では、前記マウス信号源は光学ヘッドであることを特徴とする請求項３に記載のノートブック用マウス装置であることを要旨としている。
【０００９】
本願の考案では、前記マウス信号源は転がり玉であることを特徴とする請求項３に記載のノートブック用マウス装置であることを要旨としている。
【考案の効果】
【００１０】
本考案に係るノートブック用マウス装置によれば、次のような効果がある。
（１）マウス操作部がノートブックにある収容空間内に設置されるので、使用者はマウスを別に携帯することが必要なく、外出するときにノートブックを使用しても極めて便利である。
【００１１】
（２）マウス操作部はジョイスティックに嵌めてジョイスティック連動するので、マウス操作部が収容空間内で直接に操作することができ、マウスが卓面を使用することが必要ないので、極めて便利である。
【００１２】
（３）マウス操作部にあるマウス信号源で構成されたマウス機能により、ノートブックが設置された卓面はより広いものであれば、マウス操作部をノートブックから分離してワイヤレス・マウスとして単独に使用することができ、マウス操作部の収納が便利になるので、携帯および使用がもっと便利になる。
【００１３】
（４）使用者がマウス操作部を使用しないときには、マウス操作部を収容空間内に設置してカバーをカバーすると、マウス操作部の収納が完成したので、マウス操作部の収納が極めて簡単であり、使用者がマウスを任意に放置して紛失になることを低減できる。
【考案を実施するための最良の形態】
【００１４】
以下、添付図面を参照して本考案の好適な実施の形態を詳細に説明する。
【００１５】
まず、図１乃至図３を参照する。本考案に係るマウス装置は、ノートブック１に設置され、一つの収容空間２と、一つのマウス操作部３とを含み、前記収容空間２の上には、開けられるカバー２３が設けてあり、且つ一つの受信板２１と、一つのジョイスティック２２とが設けてあり、前記受信板２１は手書きで資料を入力することができ、なお、前記ジョイスティック２２は、所定範囲以内に自由に移動することができ、その頂端には一つの突起２２１が設けてあり、前記カバー２３が収容空間２の側辺に枢着され、且つ前記カバー２３の前端には一つの前カバー２３１が枢着され、前記前カバー２３１は、図２乃至図６に示すように、収容空間２の前側をカバーし、又はカバー２を開けたときにカバー２の上に折畳むことができ、前記マウス操作部３の底部には、前記ジョイスティック２２に対応する貫通孔３１が二つに設けてあり、且つ発信器３４とマウス信号源３５とも設けてあり、前記マウス操作部３にある貫通孔３１が前記ジョイスティック２２に嵌めることにより、前記マウス操作部３が移動するときに前記ジョイスティック２２も移動され、且つ前記マウス操作部３の上面には押圧することにより入力するための左ボタン３２と右ボタン３３とが設けてある。
【００１６】
使用者が本考案に係るマウス装置を使用しようとするときには、収容空間２のカバー２３を開けたと、マウス操作部３を使用することができ、且つマウス操作部３を移動することによりジョイスティック２２が移動され、また、前記収容空間２における受信板２１が前記発信器３４から発射された信号を接収することよりマウス機能が発生しカーソルの位置を制御する。
【００１７】
使用者が受信板２１により手書きで資料を入力しようとするときには、マウス操作部３を収容空間２から取り外し受信板２１を露出すると、使用者は手書きで資料を入力することができる。
【００１８】
また、使用中にマウス操作部３がジョイスティック２２から離脱することを防止するために、前記ジョイスティック２２の頂端には突起２２１が設けてあり、なお、前記マウス操作部３の底部には前記ジョイスティック２２に対応する貫通孔３１が二つに設けてあり、前記マウス操作部３をジョイスティック２２に結合しようとするときには、貫通孔３１をジョイスティック２２に位置合わせた後、ジョイスティック２２が貫通孔３１に挿入できるようになり、また、マウス操作部３を旋回させることにより、前記突起２２１によってマウス操作部３が使用中にジョイスティック２２から離脱することができない。
【００１９】
また、図７に示すように、使用者がマウス操作部３を前記収容空間から分離して単独に使用しようとするときには、マウス操作部３を旋回して分離して、卓面で単独にマウスとして使用することができ、マウス操作部３の底面にはノートブックとワイヤレスで通信できるマウス信号源３５が設けてあるので、ワイヤレス・マウスとしてノートブック１におけるカーソルを制御することができる。
【図面の簡単な説明】
【００２０】
【図１】本考案の分解斜視図である。
【図２】本考案に係るカバーをカバーした状態を示す概略図１である。
【図３】本考案に係るカバーをカバーした状態を示す概略図２である。
【図４】本考案に係るカバーを開けた状態を示す概略図１である。
【図５】本考案に係るカバーを開けた状態を示す概略図２である。
【図６】本考案に係るカバーを開けた状態を示す概略図３である。
【図７】本考案に係るマウスを取り外した状態を示す概略図である。
【符号の説明】
【００２１】
１・・・・・ノートブック
２・・・・・収容空間
２１・・・・受信板
２２・・・・ジョイスティック
２２１・・・突起
２３・・・・カバー
２３１・・・前カバー
３・・・・・マウス操作部
３１・・・・貫通孔
３２・・・・左ボタン
３３・・・・右ボタン
３４・・・・発信器
３５・・・・マウス信号源
【図１】
0003109842.tif 000003
【図２】
0003109842.tif 000004
【図３】
0003109842.tif 000005
【図４】
0003109842.tif 000006
【図５】
0003109842.tif 000007
【図６】
0003109842.tif 000008
【図７】
0003109842.tif 000009